(57)【要約】【課題】連結部分のネジの強度を確保しつつ、ネジ同士の突き合せから螺合開始への移行がスムーズに行え、且つ螺合も速やかに進められ、連結作業時間を短縮して作業能率を大きく向上させられるボーリング用ロッド及びパイプを提供する。【解決手段】略円筒体両端の雄ネジ１１及び雌ネジ１２が複数条の角ネジとされてネジ山終端までネジ山の幅を一定に形成され、雄ネジ１１と雌ネジ１２とを突き合せた状態ではネジ山がちょうど円筒中心について対称をなすネジ条数分の複数箇所で互いに面接触することから、突き合せ状態で雄ネジ１１と雌ネジ１２が相互の正しい位置関係を保ちやすく、各ネジが螺合可能に接触した状態がほとんど調整を要さずに得られることとなり、ここから少なくとも半回転以内でそのままスムーズに螺合開始させられ、ネジの複数条化による螺合速度の向上と合わせて連結作業が速やかに行える。【選択図】　図１
2004052323.tif 000002
【特許請求の範囲】
【請求項１】
略円筒体の両端に平行ネジの雄ネジ及び雌ネジによる連結部を有し、略垂直向きで複数継足されて延長配設されるボーリング用ロッド及びパイプにおいて、
前記雄ネジ及び雌ネジが、複数条の角ネジとしてネジ切りされて形成されると共に、ネジ山の幅をネジ山終端部まで略一定とされることを
特徴とするボーリング用ロッド及びパイプ。
【請求項２】
前記請求項１に記載のボーリング用ロッド及びパイプにおいて、
前記雄ネジ及び雌ネジが、ネジ山終端部所定範囲における谷底からのネジ山の高さを最終端で高さ０に至るまで漸減させるネジ形状とされることを
特徴とするボーリング用ロッド及びパイプ。
【発明の詳細な説明】
【０００１】
【発明の属する技術分野】
本発明は、両端に平行ネジによる連結部を備えるボーリング用のロッド及びパイプに関し、特に連結強度を確保しつつ、連結に係る挿入、螺合等の一連の作業が速やかに行えるボーリング用ロッド及びパイプに関する。
【０００２】
【従来の技術】
地盤に垂直孔を掘削するボーリング作業においては、一般にその掘削深さがかなりの深度に達するため、通常は作業に用いるロッドやパイプは多数連結して延長させながら地中に挿入される。こうしたロッドやパイプ同士の連結は、これらの両端部に形成される雄ネジと雌ネジを螺合させて行う仕組みが従来から一般的である。
【０００３】
ロッドやパイプの連結作業は、地盤に挿入済のロッド又はパイプの地上に露出している端部（雌ネジ孔）に対し、垂直に吊った延長用のロッド又はパイプ先端部（雄ネジ）を正しい向きで相対させて、雄ネジを雌ネジ孔に挿入し螺合させるという手順で行われるが、ボーリングで穿設した孔を維持するという性質上、ロッドやパイプを連結して延長しながら早急に挿入していく必要があり、地上におけるこうした連結作業はできる限り短時間で行うことが要求されている。
【０００４】
ロッドやパイプにおける連結部としての雄ネジ及び雌ネジは、一般のネジ同様、ネジ山終端部を面取りして、螺合前の互いに突合わせた状態における雄ネジと雌ネジのネジ山同士の接触面を多くし、ネジ同士の螺合が安定且つスムーズに開始できるように形成されている。
【０００５】
【発明が解決しようとする課題】
従来のボーリング用ロッドやパイプは以上のように構成されており、連結対象の雄ネジと雌ネジを芯合せして互いに軸線を一致させた上で突合わせて回転させられれば、スムーズに螺合開始させられるものの、実際の作業で、垂直に吊った延長用のロッド又はパイプ先端の雄ネジを、連結対象のロッド又はパイプ端部の雌ネジ孔に対し一度で正しく挿入して突合わせることは難しい上、ボーリング用途ではロッド又はパイプ自体の重量が大であることから、ロッド又はパイプの位置や角度の調整も困難であり、正しい向きでネジ同士を突合わせ、互いに回転させて螺合させ、一体に締結する一連の連結作業には長い時間が費やされてしまうという課題を有していた。
【０００６】
また、ロッド又はパイプ自体の重量が大で連結部分に大きな荷重が加わることから、こうした外からの荷重と比べて、面取りで細く小さくなったネジ山終端部の強度が相対的に弱くなっており、連結しようとする二つのロッド又はパイプの互いの軸線が傾いている状態で無理に押付けて回転、螺合させようとすると、ネジ山終端部が損傷する危険性が高かった。さらに、正しい向きで挿入していても、多数回の使用で連結・分離を繰返すとネジ山終端部が損耗し易かった。このネジ山終端部が損傷・損耗すると、雄ネジと雌ネジとを突合わせた時の安定度が悪くなって傾きやすくなり、ますます互いに螺合しにくくなって、連結作業にさらなる慎重さが要求されることとなり、作業能率が一層悪くなってしまうという課題を有していた。
【０００７】
このような連結作業時間を少しでも短くするために、ネジ締め時間を短縮すべくネジのリードを大きくすることも考えられるが、ロッド又はパイプの連結強度を確保するために連結部分のネジ山数は一定数以上必要であることから、ネジのリードを単純に大きくすることは連結部分の長尺化につながり、結果的にネジ締め時間がほとんど変化しない割りにネジ加工代の無駄が多くなってしまうという課題を有していた。
【０００８】
この他、単位長さ当りのネジ山数を変えずに連結速度を高めるための方策として、ネジの多条化も考えられるが、従来同様のネジの単純な多条化では強度の弱いネジ終端部が増えるだけであり、さらに損傷により螺合しにくくなる危険性が高くなってしまうという課題を有していた。
【０００９】
本発明は前記課題を解決するためになされたもので、連結部分のネジの強度を確保しつつ、ネジ同士の突き合せから螺合開始への移行がスムーズに行え、且つ螺合も速やかに進められ、連結作業時間を短縮して作業能率を大きく向上させられるボーリング用ロッド及びパイプを提供することを目的とする。
【００１０】
【課題を解決するための手段】
本発明に係るボーリング用ロッド及びパイプは、略円筒体の両端に平行ネジの雄ネジ及び雌ネジによる連結部を有し、略垂直向きで複数継足されて延長配設されるボーリング用ロッド及びパイプにおいて、前記雄ネジ及び雌ネジが、複数条の角ネジとしてネジ切りされて形成されると共に、ネジ山の幅をネジ山終端部まで略一定とされるものである。
【００１１】
このように本発明においては、略円筒体両端の雄ネジ及び雌ネジが複数条の角ネジとされてネジ山終端までネジ山の幅を一定に形成され、雌ネジ孔に雄ネジを挿入して突き合せた状態では雄ネジと雌ネジの各ネジ山がちょうど円筒中心について対称をなすネジ条数分の複数箇所で互いに面接触することにより、突き合せ状態で雄ネジと雌ネジが相互の正しい位置関係を保ちやすく、各ネジが螺合可能に接触した状態がほとんど調整を要さずに得られることとなり、ここから少なくとも半回転以内でそのままスムーズに螺合開始させられ、ネジの複数条化による螺合速度の向上と合わせて、連結作業が速やかに行える。また、終端までネジ山の幅をほぼ一定とされたネジ山終端部が十分な強度を有することとなり、傾いた状態で雄ネジと雌ネジを無理に螺合させようとしても、ネジ山は損傷することなく誤った螺合を阻止でき、連結部の耐久性を高められると共に、ネジ同士を正しい位置関係へ速やかに修正でき、連結作業を能率良く進行させられる。
【００１２】
また、本発明に係るボーリング用ロッド及びパイプは必要に応じて、前記雄ネジ及び雌ネジが、ネジ山終端部所定範囲における谷底からのネジ山の高さを最終端で高さ０に至るまで漸減させるネジ形状とされるものである。このように本発明においては、各ネジにおけるネジ山の高さを終端部で徐々に変化させ、このネジ終端の位置する部分の筒外径を小さくすることにより、雌ネジ孔に雄ネジを挿入する際に若干の遊びが生じることとなり、挿入から突き合せに至る作業がよりスムーズに行え、作業能率を向上させられる。
【００１３】
【発明の実施の形態】
以下、本発明の一実施の形態を図１〜図６に基づいて説明する。本実施の形態においては、ボーリング用のケーシングパイプの例について説明する。図１は本実施の形態に係るボーリング用パイプの概略構成図、図２は本実施の形態に係るボーリング用パイプの雄ネジ拡大図及び底面図、図３は本実施の形態に係るボーリング用パイプの平面図及び雌ネジ拡大縦断面図、図４は本実施の形態に係るボーリング用パイプにおける雄ネジ及び雌ネジの突き合せ時当接位置説明図、図５は本実施の形態に係るボーリング用パイプの雄ネジ及び雌ネジ突き合せ状態における雌ネジの縦断面図、図６は本実施の形態に係るボーリング用パイプの雄ネジ及び雌ネジ突き合せ状態における雌ネジの別の縦断面図である。
【００１４】
前記各図において本実施形態に係るパイプ１は、両端に平行ネジの雄ネジ１１及び雌ネジ１２による連結部を有する円筒体で形成され、雄ネジ１１及び雌ネジ１２を二条の角ネジとして形成されると共に、ネジ山の幅をネジ山終端部まで一定とされ、且つネジ山の高さをネジ山終端部で漸減させる形状とされてなる構成である。パイプ１におけるネジ山の幅が終端まで一定とされていることで、ネジ山終端部も十分な強度を有することとなり、連結作業時に誤って損傷する危険性が極めて低くなっている。
このパイプ１は、従来公知のボーリング用ケーシングパイプと同様、鋼やプラスチック等の硬質材料製とされ、地盤に地上側から掘削された略垂直の孔に対し、地上から複数継足されつつ挿入されて地中に延長配設される。
【００１５】
次に、前記構成に基づくパイプの連結工程について説明する。あらかじめ地中に地表面から掘削機（図示を省略）で孔が掘削され、既に数本のパイプが連結されて地中に垂直に挿入されているものとする。挿入済のパイプ１の上端は地上に露出しており、連結部となる雌ネジ孔１３が上方に開口した状態となっている。
挿入済のパイプ１端部における雌ネジ孔１３に対し、その上方で垂直に吊った延長用のパイプ１先端の雄ネジ１１を正しい向きで相対させて、雄ネジ１１を雌ネジ孔１３に対し挿入して雄ネジ１１と雌ネジ１２とを突合わせる。この時、ネジの軸線がずれたり傾いたりしている場合には、パイプ１の位置や角度の調整を行って、正しい向きでネジ同士を突合わせる。各ネジにおけるネジ山の高さを終端部で徐々に変化させ、ネジ終端部分の筒外径寸法を小さくしていることから、雌ネジ孔１３に雄ネジ１１を挿入する際には若干の遊びが生じてスムーズに挿入が行えることとなる。
【００１６】
雌ネジ孔１３に雄ネジ１１を挿入して突き合せると、雄ネジ１１と雌ネジ１２が螺合可能に当接した状態となる。仮に、傾いた状態で雄ネジ１１と雌ネジ１２を無理に螺合させようとしても、丈夫なネジ山の存在で誤った螺合を阻止でき、直ちにネジ同士の位置関係を修正可能である。
こうしてネジ同士を突合わせた後は、上側のパイプ１を回転させて螺合させる。二条ネジであることから素早く螺合させられ、完全に螺合させて一体に締結すれば一回の連結作業が完了となる。
この後、さらにパイプを延長する場合は、パイプを下方へ押込んだ後、前記同様の作業を繰返してパイプ１を順次連結していけばよい。
【００１７】
このように、本実施形態に係るボーリング用のパイプにおいては、両端の雄ネジ１１及び雌ネジ１２が二条の角ネジとされてネジ山終端までネジ山の幅を一定に形成され、雌ネジ孔１３に雄ネジ１１を挿入して突き合せた状態では雄ネジ１１と雌ネジ１２の各ネジ山がちょうど円筒中心について対称をなす二箇所で互いに面接触することから、突き合せ状態で雄ネジ１１と雌ネジ１２が相互の正しい位置関係を保ちやすく、各ネジが螺合可能に当接した状態がほとんど調整を要さずに得られることとなり、ここから半回転以内でそのままスムーズに螺合開始させられ、ネジの複数条化による螺合速度の向上と合わせて、連結作業が速やかに行える。また、ネジ山終端部が一定の強度を有することとなり、傾いた状態で雄ネジ１１と雌ネジ１２を無理に螺合させようとしても、ネジ山は損傷することなく誤った螺合を阻止でき、連結部の耐久性を高められると共に、ネジ同士を正しい位置関係へ速やかに修正でき、連結作業を能率良く進行させられる。
【００１８】
なお、前記実施形態に係るボーリング用パイプにおいて、雄ネジ１１及び雌ネジ１２のピッチは適宜設定可能であるが、雄ネジ１１及び雌ネジ１２における単位長さ当りのネジピッチを従来のパイプにおけるネジと同じにすれば、二条ネジであっても従来の一条ネジと外観がほとんど同じで違和感無く使用できる一方、ネジのリードは二倍となって螺合にかかる時間を約半分とすることができる。また、前記実施の形態においては比較的径の大きいパイプの例を説明しているが、より小径のロッドの場合にも適用することができる。
【００１９】
また、前記実施形態に係るボーリング用パイプにおいては、雄ネジ１１及び雌ネジ１２におけるネジ山終端部のネジ山高さを徐々に変化させる構成としているが、この他、ネジ山の高さが急峻に変化する、すなわち、終端直近までネジ山高さが一定値である構成とすることもでき、ネジ山終端部の強度を高めて損傷に対する耐性をさらに向上させられる。
【００２０】
また、前記実施形態に係るボーリング用パイプにおいては、連結部としての雄ネジ１１と雌ネジ１２を二条ネジとして形成する構成としているが、これに限らず、三条以上の複数条のネジとしてネジのリードをさらに大きくする構成とすることもでき、螺合にかかる時間をより一層短縮できる。
【００２１】
【発明の効果】
以上のように本発明によれば、略円筒体両端の雄ネジ及び雌ネジが複数条の角ネジとされてネジ山終端までネジ山の幅を一定に形成され、雌ネジ孔に雄ネジを挿入して突き合せた状態では雄ネジと雌ネジの各ネジ山がちょうど円筒中心について対称をなすネジ条数分の複数箇所で互いに面接触することにより、突き合せ状態で雄ネジと雌ネジが相互の正しい位置関係を保ちやすく、各ネジが螺合可能に接触した状態がほとんど調整を要さずに得られることとなり、ここから少なくとも半回転以内でそのままスムーズに螺合開始させられ、ネジの複数条化による螺合速度の向上と合わせて、連結作業が速やかに行えるという効果を奏する。また、終端までネジ山の幅をほぼ一定とされたネジ山終端部が十分な強度を有することとなり、傾いた状態で雄ネジと雌ネジを無理に螺合させようとしても、ネジ山は損傷することなく誤った螺合を阻止でき、連結部の耐久性を高められると共に、ネジ同士を正しい位置関係へ速やかに修正でき、連結作業を能率良く進行させられるという効果を有する。
【００２２】
また、本発明によれば、各ネジにおけるネジ山の高さを終端部で徐々に変化させ、このネジ終端の位置する部分の筒外径を小さくすることにより、雌ネジ孔に雄ネジを挿入する際に若干の遊びが生じることとなり、挿入から突き合せに至る作業がよりスムーズに行え、作業能率を向上させられるという効果を有する。
【図面の簡単な説明】
【図１】本発明の一実施の形態に係るボーリング用パイプの概略構成図である。
【図２】本発明の一実施の形態に係るボーリング用パイプの雄ネジ拡大図及び底面図である。
【図３】本発明の一実施の形態に係るボーリング用パイプの平面図及び雌ネジ拡大縦断面図である。
【図４】本発明の一実施の形態に係るボーリング用パイプにおける雄ネジ及び雌ネジの突き合せ時当接位置説明図である。
【図５】本発明の一実施の形態に係るボーリング用パイプの雄ネジ及び雌ネジ突き合せ状態における雌ネジの縦断面図である。
【図６】本発明の一実施の形態に係るボーリング用パイプの雄ネジ及び雌ネジ突き合せ状態における雌ネジの別の縦断面図である。
【符号の説明】
１　　　パイプ
１１　　雄ネジ
１２　　雌ネジ
１３　　雌ネジ孔
【図１】
2004052323.tif 000003
【図２】
2004052323.tif 000004
【図３】
2004052323.tif 000005
【図４】
2004052323.tif 000006
【図５】
2004052323.tif 000007
【図６】
2004052323.tif 000008